【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
支持体と、該支持体上に設けられた感光層とを有する電子写真感光体において、
該電子写真感光体の表面層が、硬化性樹脂を含有し、
該電子写真感光体の表面が、複数のディンプル様の凹凸形状を有し、
該凹凸形状と該凹凸形状の平均面とで囲まれた部分の体積を該体積の測定面積で除した値（Ｓａ）が、０．０５０μｍ以上０．４０μｍ以下であり、
該表面の総面積に対する、該凹凸形状の該平均面から該支持体の方向に０．３０μｍの位置から該支持体に近い領域の凹部をなす部分を該平均面に投影した像の総面積の割合が、０．３０％以上１５％以下である
ことを特徴とする電子写真感光体。
【請求項２】
前記硬化性樹脂が、アクリル樹脂、フェノール樹脂、エポキシ樹脂、シリコーン樹脂及びウレタン樹脂からなる群より選択される少なくとも一種の樹脂である請求項１に記載の電子写真感光体。
【請求項３】
前記表面層が、重合性官能基を有する正孔輸送性化合物を加熱及び／又は放射線の照射により重合させ、該正孔輸送性化合物を硬化させることによって得られる硬化物を含有する層である請求項１又は２に記載の電子写真感光体。
【請求項４】
前記正孔輸送性化合物が、同一分子内に二つ以上の連鎖重合性官能基を有する正孔輸送性化合物である請求項３に記載の電子写真感光体。
【請求項５】
前記放射線が電子線である請求項３又は４に記載の電子写真感光体。
【請求項６】
前記感光層が電荷発生層と電荷輸送層とからなる積層型の感光層であり、該電荷輸送層が前記表面層である請求項１〜５のいずれかに記載の電子写真感光体。
【請求項７】
前記電荷輸送層が第一の電荷輸送層と第二の電荷輸送層とからなり、該第二の電荷輸送層が前記表面層である請求項６に記載の電子写真感光体。
【請求項８】
請求項１〜７のいずれかに記載の電子写真感光体と、該電子写真感光体を帯電させる帯電手段、電子写真感光体の表面に形成された静電潜像にトナーを供給して該静電潜像を現像してトナー像を形成する現像手段、該電子写真感光体の表面に形成されたトナー像を転写材に転写する転写手段、及び、転写後の該電子写真感光体の表面の付着物を除去するクリーニング手段からなる群より選択される少なくとも一つの手段とが一体に支持され、電子写真装置本体に着脱自在に構成されていることを特徴とするプロセスカートリッジ。
【請求項９】
請求項１〜７のいずれかに記載の電子写真感光体と、該電子写真感光体を帯電させる帯電手段と、帯電した電子写真感光体の表面に静電潜像を形成する像露光手段、該電子写真感光体の表面に形成された静電潜像にトナーを供給して該静電潜像を現像してトナー像を形成する現像手段と、該電子写真感光体の表面に形成されたトナー像を転写材に転写する転写手段とを有することを特徴とする電子写真装置。
【請求項１０】
前記転写手段による転写後の電子写真感光体の表面の付着物を除去するクリーニング手段をさらに有する請求項９に記載の電子写真装置。
【手続補正２】
【補正対象書類名】明細書
【補正対象項目名】００２９
【補正方法】変更
【補正の内容】
【００２９】
本発明は、支持体と、該支持体上に設けられた感光層とを有する電子写真感光体において、
該電子写真感光体の表面層が、硬化性樹脂を含有し、
該電子写真感光体の表面が、複数のディンプル様の凹凸形状を有し、
該凹凸形状と該凹凸形状の平均面とで囲まれた部分の体積を該体積の測定面積で除した値（Ｓａ）が、０．０５０μｍ以上０．４０μｍ以下であり、
該表面の総面積に対する、該凹凸形状の該平均面から該支持体の方向に０．３０μｍの位置から該支持体に近い領域の凹部をなす部分を該平均面に投影した像の総面積の割合が、０．３０％以上１５％以下である
ことを特徴とする電子写真感光体である。
【手続補正３】
【補正対象書類名】明細書
【補正対象項目名】００３０
【補正方法】変更
【補正の内容】
【００３０】
また、本発明は、上述の電子写真感光体を有するプロセスカートリッジ及び電子写真装置である。
【手続補正４】
【補正対象書類名】明細書
【補正対象項目名】００３１
【補正方法】変更
【補正の内容】
【００３１】
本発明によれば、電子写真感光体の表面に、特定の形状の複数のディンプル様の凹凸形状を形成することにより、長期間の使用等の、感光体表面が初期の表面形状に比べて平坦化されてしまう場合でも、なお、クリーニング性を維持することができる。
【手続補正５】
【補正対象書類名】明細書
【補正対象項目名】００３２
【補正方法】変更
【補正の内容】
【００３２】
本発明者らは、表面層に硬化性樹脂を含有する感光体に対する表面層の構築について鋭意検討した結果、ある定形の複数のディンプル様の凹凸形状を有する感光体表面形状が、上記の各種の問題に対して効果的であることを見出した。
【手続補正６】
【補正対象書類名】明細書
【補正対象項目名】００３５
【補正方法】変更
【補正の内容】
【００３５】
ディンプル様の凹凸形状の測定には、表面形状測定システム（Ｓｕｒｆａｃｅ  Ｅｘｐｌｏｒｅｒ  ＳＸ−５２０ＤＲ型機、株式会社菱化システム製）を使用して評価した。
【手続補正７】
【補正対象書類名】明細書
【補正対象項目名】００４３
【補正方法】変更
【補正の内容】
【００４３】
電子写真感光体は、使用するにつれ、トナー成分由来の外添剤と呼ばれる滑剤の介在、又はクリーニングブレードと感光体との褶擦により、細かい傷が発生し、表面の摩擦力がある程度まで低下する。そのような状態では、もはや、クリーニングに必要な上述の凹凸形状は、初期の摩擦力を低減させる目的の形状ほどの凹凸は必要でなくなり、比較的平坦に近い凹凸形状でクリーニング性を満足する。
即ち、表面の摩擦力が低下するまでのクリーニング性を維持させるための凹凸形状は、「３次元の算術平均粗さ（Ｓａ）が、０．０５０μｍ以上０．４０μｍ以下」に相当し、それ以降、徐々に平坦化が進んだ際にも平坦化されず、かつ、その際の比較的摩擦力の低い環境下でのクリーニングを維持させる凹凸形状は、「該表面の総面積に対する、該凹凸形状の該平均面から該支持体の方向に０．３０μｍの位置から該支持体に近い領域の凹部をなす部分を該平均面に投影した像の総面積の割合は、０．３０％以上１５％以下」に相当する。
【手続補正８】
【補正対象書類名】明細書
【補正対象項目名】００４９
【補正方法】変更
【補正の内容】
【００４９】
本発明において求められる表面形状は、できるだけ円形に近い、孤立した凹部を多数有する、いわゆるディンプル様の凹凸形状（ディンプル形状）である。このディンプル形状の凹部は電子写真感光体の表面の全ての方向に対して方向性がないことが好ましい。
電子写真感光体の表面の凹凸において、谷部分がスジ状に連なった場合、帯電生成物などの低抵抗物質がそのスジ状部分に蓄積され、特に高温高湿下で長期間使用された場合などに、表面形状に起因するスジ状の画像欠陥が発生するという問題が発生しやすくなる。従って、周方向のＲｚｊｉｓ（Ａ）の値と電子写真感光体が回転する軸方向のＲｚｊｉｓ（Ｂ）の値の比率が１に近いほど好ましい。
【手続補正９】
【補正対象書類名】明細書
【補正対象項目名】０１００
【補正方法】変更
【補正の内容】
【０１００】
本発明による電子写真感光体の表面層は、電荷輸送機能を有していても、有していなくてもよいが、硬化性樹脂を含有する層であることがより好ましい。このような表面層は、本技術分野公知の方法により形成させればよく、例えば、硬化性樹脂やそのモノマー等の硬化性の材料の溶液又は分散液を支持体又は支持体上に形成された層の上に塗布し、所定の条件において硬化性樹脂を生成させることによって形成させる方法などが挙げられる。
【手続補正１０】
【補正対象書類名】明細書
【補正対象項目名】０１２２
【補正方法】変更
【補正の内容】
【０１２２】
（プロセスカートリッジ）
また、本発明による電子写真感光体は、現像手段、クリーニング手段等の構成要素のうち、１又は複数の手段を装置ユニットとして一体に結合して構成し、このユニットを電子写真装置本体に対して着脱自在に構成してなるプロセスカートリッジとして利用されてもよい。図３は、本発明のプロセスカートリッジの一例の構成を概略的に示す図である。本発明によるプロセスカートリッジは、筐体１１中に、上述の電子写真感光体１と、帯電手段２と、現像手段３と、クリーニング手段５とを一体化して支持してなる。筐体１１は、電子写真感光体１、帯電手段２、現像手段３、及びクリーニング手段５のそれぞれが画像形成に適した相対的な位置関係に配置されるように、これらを支持する。筐体１１には、光Ｌ及び前露出手段６からの光を筐体１１の外から中へ通すための開口部が設けられてもよい。